【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
再現対象物の凹凸形状に基づいて凹凸形状を形成する画像形成装置に、凹凸形状データを供給する画像処理装置であって、
前記再現対象物の凹凸形状を表す情報の入力を受け付ける入力受付手段と、
前記画像形成装置が出力可能な凹凸形状に関する出力特性を取得する取得手段と、
前記凹凸形状を表す情報と前記出力特性とに基づいて、前記画像形成装置に供給する前記凹凸形状データを生成する生成手段とを有し、
前記生成手段は、前記再現対象物の凹凸形状の高低差、高さ、凸部の先鋭性の少なくともいずれか１つを維持するように、前記凹凸形状データを生成する
ことを特徴とする画像処理装置。
【請求項２】
前記生成手段は、前記凹凸形状を表す情報と前記出力特性とに基づいて、前記凹凸形状を表す情報を補正するべきか否かを判定する判定手段をさらに有し、
前記判定手段により補正するべきと判定された場合、前記凹凸形状を表す情報が特定する凹凸形状を補正した結果に基づいて、前記凹凸形状データを生成する
ことを特徴とする請求項１に記載の画像処理装置。
【請求項３】
前記画像形成装置が前記凹凸形状データに基づいて出力する凹凸形状の見え方に応じて、前記凹凸形状の上に形成される画像層を表す画像データを補正する補正手段をさらに有することを特徴とする請求項１または請求項２に記載の画像処理装置。
【請求項４】
前記生成手段は、前記再現対象物の凹凸形状の高さ分布を取得し、前記高さ分布から前記再現対象物の凹凸形状の高さと前記再現対象物の凹凸形状の空間周波数とを算出する算出手段をさらに有し、
前記判定手段は、前記再現対象物の凹凸形状の高さと、前記再現対象物の凹凸形状の空間周波数とが、前記出力特性が示す出力可能な条件を満たすかを判定し、
前記出力可能な条件を満たさない場合、前記生成手段は、前記再現対象物の凹凸形状の高さと、前記再現対象物の凹凸形状の空間周波数とに基づいて、受け付けた前記凹凸形状を表す情報を補正し、前記凹凸形状データを生成する
ことを特徴とする請求項２に記載の画像処理装置。
【請求項５】
前記取得手段は、前記画像形成装置が、高い再現度で前記凹凸形状を出力可能な振幅の上限である振幅上限と、前記画像形成装置が、高い再現度で前記凹凸形状を出力可能な周波数の上限である周波数上限とを前記出力特性として取得し、
前記判定手段は、前記再現対象物の凹凸形状の高さが、前記振幅上限以下であるか、および前記再現対象物の凹凸形状の空間周波数が、前記周波数上限以下であるかを判定する
ことを特徴とする請求項２に記載の画像処理装置。
【請求項６】
前記生成手段は、前記再現対象物の凹凸形状の高さが、前記振幅上限よりも大きい場合、前記再現対象物の凹凸形状の高さから前記高さ分布における高さ最小値を減算することを特徴とする請求項５に記載の画像処理装置。
【請求項７】
前記生成手段は、前記再現対象物の凹凸形状の空間周波数が、前記前記周波数上限よりも大きい場合、前記高さ分布に、低周波特性のフィルタを畳み込み演算し、前記畳み込み演算によって減少した前記再現対象物の凹凸形状の高さを復元する
ことを特徴とする請求項５または請求項６に記載の画像処理装置。
【請求項８】
前記取得手段は、前記画像形成装置が、高い再現度の前記凹凸形状を出力可能な出力可能範囲をさらに取得し、
前記生成手段は、補正後の前記再現対象物の凹凸形状の高さと、補正後の前記再現対象物の凹凸形状の空間周波数とが、前記出力可能範囲内となるように前記凹凸形状データを生成する
ことを特徴とする請求項４から請求項７のいずれか１項に記載の画像処理装置。
【請求項９】
受け付けた前記凹凸形状を表す情報は、画素ごとに前記再現対象物の凹凸形状の高さを表すデータであって、
前記凹凸形状を表す情報を複数の領域に分割する分割手段と、
各分割領域の前記凹凸形状を表す情報を解析する解析手段と、
前記解析手段による解析結果に基づいて、前記各分割領域の重み係数を算出する算出手段と、
前記生成手段によって生成された前記各分割領域の前記凹凸形状データと、算出された前記重み係数とから、前記各分割領域における前記凹凸形状のずれを調整する調整手段とをさらに有する
ことを特徴とする請求項１から請求項８のいずれか１項に記載の画像処理装置。
【請求項１０】
前記補正手段は、受け付けた前記凹凸形状を表す情報によって特定される理想の凹凸形状と、受け付けた前記凹凸形状を表す情報が前記画像形成装置で出力された場合に予想される凹凸形状とを取得する第２の取得手段と、
前記理想の凹凸形状と、前記予想される凹凸形状の観察条件を設定する観察条件設定手段と、
前記観察条件における、前記理想の凹凸形状の見え方と、前記予想される凹凸形状の見え方とを算出し、前記理想の凹凸形状の見え方と、前記予想される凹凸形状の見え方とから、画像データに対する補正係数を算出する補正係数算出手段とを有し、
前記補正手段は、算出された前記補正係数に基づいて前記画像データを補正する
ことを特徴とする請求項３に記載の画像処理装置。
【請求項１１】
前記観察条件は、光源から前記凹凸形状に照射される照射光の方向を含み、
前記補正係数算出手段は、前記理想の凹凸形状に照射される前記照射光の方向から、前記理想の凹凸形状の照度分布を、および前記予想される凹凸形状に照射される前記照射光の方向から、前記予想される凹凸形状の照度分布をそれぞれ求め、前記理想の凹凸形状の前記照度分布から、前記理想の凹凸形状の見え方と、前記予想される凹凸形状の照度分布とから、前記予想される凹凸形状の見え方とを算出する
ことを特徴とする請求項１０に記載の画像処理装置。
【請求項１２】
請求項１から請求項１１のいずれか１項に記載の画像処理装置から、補正後の前記凹凸形状データの供給を受け付け、供給を受け付けた補正後の前記凹凸形状データに基づいて前記凹凸形状を形成する画像形成装置。
【請求項１３】
再現対象物の凹凸形状に基づいて凹凸形状を形成する画像形成装置に、凹凸形状データを供給する画像処理方法であって、
前記再現対象物の凹凸形状を表す情報の入力を受け付ける入力受付ステップと、
前記画像形成装置が出力可能な凹凸形状に関する出力特性を取得する取得ステップと、
前記凹凸形状を表す情報と前記出力特性とに基づいて、前記画像形成装置に供給する前記凹凸形状データを生成する生成ステップとを有し、
前記生成ステップにおいて、前記再現対象物の凹凸形状の高低差、高さ、凸部の先鋭性の少なくともいずれか１つを維持するように、前記凹凸形状データを生成する
ことを特徴とする画像処理方法。
【請求項１４】
コンピュータを、請求項１から請求項１１のいずれか１項に記載の画像処理装置の各手段として機能させるためのプログラム。
【手続補正２】
【補正対象書類名】明細書
【補正対象項目名】０００５
【補正方法】変更
【補正の内容】
【０００５】
本発明に係る画像処理装置は、再現対象物の凹凸形状に基づいて凹凸形状を形成する画像形成装置に、凹凸形状データを供給する画像処理装置であって、前記再現対象物の凹凸形状を表す情報の入力を受け付ける入力受付手段と、前記画像形成装置が出力可能な凹凸形状に関する出力特性を取得する取得手段と、前記凹凸形状を表す情報と前記出力特性とに基づいて、前記画像形成装置に供給する前記凹凸形状データを生成する生成手段とを有し、前記生成手段は、前記再現対象物の凹凸形状の高低差、高さ、凸部の先鋭性の少なくともいずれか１つを維持するように、前記凹凸形状データを生成することを特徴とする。